(57)【特許請求の範囲】
【請求項１】
（A）互いに回転可能に且つ同軸に配置された外側リング（２）と内側リング（４）と、
（B）前記内側リング（４）と外側リング（２）を軸方向に移動しないよう結合する軸方向結合手段と
を有するジュエリー・ピースにおいて、
前記軸方向結合手段は、ボール（１０）を有し、
前記外側リング（２）にその内外を貫通する開口（６）が形成され、前記開口（６）を介して前記内側リング（４）の外周に配置された装飾部（８）が見え、
前記内側リング（４）の外周にハウジング（１２）が形成され、
前記外側リング（２）の内周に円周方向溝（１８）が形成され、
前記外側リング（２）の内周に環状の凹み（１４）が形成され、
前記環状の凹み（１４）は、その最高点が前記ハウジング（１２）内に配置された前記ボール（１０）の頂点よりも高い頂点を有する弓形部分を形成し、
前記外側リング（２）の内周に前記円周方向溝（１８）につながる溝（１６）が形成され、
前記溝（１６）を介して、前記ボール（１０）は、前記外側リング（２）が前記内側リング（４）に対し軸方向に押された時に、前記円周方向溝（１８）内にはまり、
前記ハウジング（１２）内に収納された前記ボール（１０）は、前記円周方向溝（１８）内を回転移動する
ことを特徴とするジュエリー・ピース。
【請求項２】
前記外側リング（２）または内側リング（４）の一方は、棒（２０）を具備し、
前記棒（２０）は、前記外側リング（２）または内側リング（４）の他方の前記一方のリングに面する円周上に配置された円周方向溝（２２）内を移動する
ことを特徴とする請求項１記載のジュエリー・ピース。
【請求項３】
指標となるキャビティ（２６）が、前記円周方向溝（１８）の周囲上の１つの場所に配置され、
前記キャビティ（２６）内に、前記ボール（１０）が収納される
ことを特徴とする請求項１−２のいずれかに記載のジュエリー・ピース。
【請求項４】
前記棒（２０）は、前記内側リング（４）または外側リング（２）に開けられたホール（２４）内に収納される
ことを特徴とする請求項３記載のジュエリー・ピース。
【請求項５】
請求項１−４のいずれかに記載のジュエリー・ピースを分解する工具において、
前記工具は、円周形状の肩部（３０）を有するプレート（２８）と、環状ベース（３４）を有するパンチ（３２）とを有し、
前記肩部（３０）に、前記内側リング（４）が当たり、
前記肩部（３０）の直径は、前記内側リング（４）の直径に対応し、
前記環状ベース（３４）が、前記外側リング（２）に当たる
ことを特徴とする請求項１−４のいずれかに記載のジュエリー・ピースを分解する工具。
【請求項６】
前記プレート（２８）とパンチ（３２）は、回転可能にヒンジ（４０）で止められた一対のプライヤ（３８）の２本のアーム（３６）に、それぞれ取り付けられる
ことを特徴とする請求項５記載の工具。
【発明の詳細な説明】
【技術分野】
【０００１】
本発明は、特別な審美的を有するジュエリー・ピース、特に、指輪あるいは腕輪に関する。さらに、本発明は、イヤリング、ペンダント、カフスボタンあるいはキーリングにも関する。さらに本発明は、互いに同軸に回転可能に配置される外側リングと内側リングを有するあらゆる種類のジュエリー・ピースに関する。
【背景技術】
【０００２】
特許文献１に開示されている指輪は、内側リングと外側リングから構成され、この内側リングは外側リングと同軸に  配置されている。外側リングは、内側リングに回転可能に搭載され、内側リングの一部を見ることのできる開口を有する。外側リングを内側リングに対し回転させることにより、内側リングの別の一部が見えるようになり、これによりリングの外観を変えている。
【０００３】
特許文献１によれば、内側リングは、その外部周囲に溝を有し、外側リングの内側周囲に具備されたスタッドがそこにはまる。組み立てに際しては、外側リングは、内側リングの上をスライドして、外側に固定されたスタッドが、弾性的に変形し、内側リングの溝内に飛び出して、その最初の形状に戻る。スタッドが最初の形状に戻った時点で、２個のリングは軸方向に結合され、互いに回転可能となる。
【０００４】
【特許文献１】米国特許第２２１７２８号明細書
【０００５】
特許文献１は、リングを装着する人の好みに応じて、外見が変わるジュエリー・リングを提供する。内側リングのデザインに向かい合うように、外側リングに形成された開口を動かすことにより、別の装飾的デザインを選択することができる。しかし、スタッドを介して内側リングと外側リングを軸方向に結合することは、この組立体が分解できないことにはならない。実際、ある程度の圧縮力をリングの一方にかけるだけで、スタッドが弾性的に再変形し、２個のリングが分解してしまうことがある。さらに、外側リングを内側リングに対し回転させると、スタッドが溝に沿ってスライドしながら移動し、溝の底に傷がつく。この摩擦により、装着者に、組立体はありきたりの品質であるとの印象を与え、豪華さと高品質が通常要求されるジュエリー・ピースとは、相容れない。
【発明の開示】
【発明が解決しようとする課題】
【０００６】
本発明の目的は、前記の欠点を解決することである。さらに、本発明の目的は、装着者に高品質の印象を与えるような特別な審美的効果を具備するジュエリー・ピースを提供することである。
【課題を解決するための手段】
【０００７】
本発明の一形態としては、次のような実施例があり、それを付記として以下記載する。
付記１
互いに回転可能に且つ同軸に配置された外側リング２と内側リング４と、
前記外側リング２は、少なくとも１個の開口６を有し、
前記開口６を介して内側リング４の外周に配置された少なくとも１個の装飾部８が見え、
前記内側リング４と外側リング２を軸方向で結合する手段と
を有するジュエリー・ピースにおいて、
前記軸方向結合手段は、少なくとも１個のボール１０を有し、
前記ボール１０は、前記内側リング４の外周に配置されたハウジング１２内に配置され、外側リング２の内周内を回転し、
前記ハウジング１２は、ボール１０の回転パスを形成する
ことを特徴とするジュエリー・ピース。
付記２
前記外側リング２は、その内周上に、環状の凹み１４を有し、
前記環状の凹み１４は、その最高点が前記ハウジング１２内に配置されたボール１０の頂点よりも高い頂点を有する弓形部分を形成する
ことを特徴とする付記１記載のジュエリー・ピース。
付記３
前記外側リング２は、その内周上に、少なくとも１個の凹部１６を有し、
前記凹部１６を介して、前記ボール１０は、外側リング２が内側リング４に対し軸方向に押された時に、前記外側リング２に形成された円周方向溝１８を通り抜ける
ことを特徴とする付記２記載のジュエリー・ピース。
付記４
前記外側リング２または内側リング４の一方は、少なくとも１個の棒２０を具備し、
前記棒２０は、他方の対向するリングに面する円周上に配置された円周方向溝２２内を移動する
ことを特徴とする付記１−３のいずれかに記載のジュエリー・ピース。
付記５
前記棒２０は、前記円周方向溝２２に対し、軸方向と半径方向に遊びを有する
ことを特徴とする付記４記載のジュエリー・ピース。
付記６
少なくとも１個の指標となるキャビティ２６が、前記円周方向溝１８の周囲上の１つの場所に配置され、
前記キャビティ２６内に、前記ボール１０が収納される
ことを特徴とする付記１−５のいずれかに記載のジュエリー・ピース。
付記７
前記ボール１０は、セラミック製である
ことを特徴とする付記１−６のいずれかに記載のジュエリー・ピース。
付記８
前記棒２０は、取り外し可能に配置される
ことを特徴とする付記４−７のいずれかに記載のジュエリー・ピース。
付記９
前記棒２０は、前記内側リング４または外側リング２に開けられたホール２４内に収納される
ことを特徴とする付記４−７のいずれかに記載のジュエリー・ピース。
付記１０
付記１−９のいずれかに記載のジュエリー・ピースを分解する工具において、
前記工具は、円周形状の肩部３０を有するプレート２８と、環状ベース３４を有するパンチ３２とを有し、
前記肩部３０に、前記内側リング４が当たり、
前記肩部３０の直径は、前記内側リング４の直径に対応し、
前記環状ベース３４が、前記外側リング２に当たる
ことを特徴とする付記１−９のいずれかに記載のジュエリー・ピースを分解する工具。
付記１１
前記プレート２８とパンチ３２は、回転可能にヒンジ４０で止められた一対のプライヤ３８の２本のアーム３６に、それぞれ取り付けられる
ことを特徴とする付記１０記載の工具。
【０００８】
これらの特徴により、本発明の特別な審美的効果を有するジュエリー・ピースは、外側リングと内側リングを有し、これらは相対的に回転し、外側リングは、内側リングの上をボールを介して回る。この回転はスムーズに行われ、２個のリングの相対的位置および回転方向を問わず、装着者は大きな力を必要とせず、高品質の印象を与える。
【０００９】
本発明のさらなる特徴によれば、内側リングと外側リングの軸方向結合手段は、少なくとも１本の棒を有する。この棒は、内側リングと外側リングの一方に取り付けられ、他方のリングに形成された円周方向溝の上を走る。
【００１０】
本発明の第１変形例によれば、棒は、内側リングと外側リングの一方内に組み込まれる。この内側リングと外側リングは、かくして組み立て後は、分離することができない。軸方向の圧縮力を２個のリングのうちの一方にかけても分離することができない。ジュエリー・ピースの破損のリスクおよび２個のリングの内の一方を紛失する危険が無くなる。
【００１１】
しかし、ごみ、砂粒のような汚染物が、外側リングの開口を介して、２個のリングの間に入り、リングの動きを阻止することがありうる。
【００１２】
これは、本発明の第２変形例によれば、棒は、取り外し可能な方法で、例えばリングにねじ込むことにより固定できる。かくして、ジュエリー・ピースは、棒を外す適宜のツールを用いて宝石業者だけが分解でき、リングを簡単に分離できる。その後、宝石業者は、リングの動きを阻害するようなゴミを取り除くことができる。
【発明を実施するための最良の形態】
【００１３】
指輪を例に説明するが、本発明は、これに限定されるものではなく、例えば腕につけるブレスレット、あるいは２個の同軸リングを有する他の対象物にも適用可能である。
【実施例】
【００１４】
本発明のリング１は、外側リング２と、この外側リング２と同軸に配列された内側リング４とを有する。外側リング２と内側リング４は、相対的に回転可能である。
【００１５】
外側リング２は、少なくとも１個の開口６、６’を有する。この開口６を介して、内側リング４の外周に具備された装飾部８を見ることができる。図に示した実施例においては、外側リング２は、２個の開口６、６´を有する。開口６は、例えばハート型（図１Ａ）で、開口６’は、ギリシャ文字のΩ（オメガ）の形状（図１Ｂ）をしている。これも単なる一実施例で、その開口の数、開口の形状は、これに限定されるものではない。内側リング４の外周に具備された装飾部８については、いかなる形状／外観でもよい。図に示した実施例においては、この装飾部８は、内側リング４の肉厚方向に、埋め込まれた複数のダイヤモンド１０から形成される。しかし、装飾部８は、リングとは別の色の材料で形成された領域でもよい。例えば、装飾部８は、内側リング４の周囲の一部に配置された白金であり、一方内側リング４は、黄金あるいはエナメル処理した装飾部１１でもよい。本発明の目的は、外側リング２に形成された開口を介して、見ることのできる内側リング４のさまざまな領域を、内側リング４に対し外側リング２を回転させて、リング１の外観を変化させるよう、選択することである。
【００１６】
外側リング２は、内側リング４に、軸方向に少なくとも１個好ましくは２個のボール１０で保持される。この２個のボール１０は、内側リング４の外周に配置された２個のハウジング１２内に配置される。これら２個のハウジング１２は、内側リング４の同一直径Ｄで、好ましくは互いに１８０°ずれて、配置されている。ボール１０は、セラミック材料から形成され、腐食の問題を回避しているが、他の材料（例えば金属材料）で形成することもできる。
【００１７】
本発明のリング１は、以下の方法で形成される。外側リング２が内側リング４の上に配置され、開口６が第１のハウジング１２に向かい合うまで回転される。複数のボール１０の内の１個のボールは、このハウジング１２内に開口６から挿入される。その後、外側リング２を１８０°回転させて、開口６が、ボール１２が配置されていない第２のハウジング１２に向かい合うようにする。外側リング２を内側リング４に対し回転させることは、一方のボール１０は既にハウジング１２内にあり、外側リング２がその内周面で断面が弓形を有する環状凹み１４により可能となる。図面によれば、環状凹み１４がボール１０の上にアーチ（弓形）を形成し、その最高点は、ハウジング１２内に配置されるボール１０の頂部よりも高い。かくして、外側リング２が内側リング４に対し回転すると、ボール１０は、環状凹み１４により形成されたアーチの下を動く。開口６が第２のハウジング１２に対向すると、ボール１０が、この第２のハウジング１２内に配置される。
【００１８】
２個のボール１０がそれぞれのハウジング１２内に挿入されると、外側リング２を回転して、外側リング２の内周囲に形成された２個の直径方向に対向する溝１６が、これら２個のボール１０に向かい合うようにする。これら２個の溝１６により、外側リング２を軸方向に内側リング４に沿って押すと、２個のボール１０が外側リング２の内周に形成された円周方向溝１８を通過する。この円周方向溝１８は、外側リング２が内側リング４に対し回転する時は、２個のボール１０の回転パス（回転移動通路）を形成する。
【００１９】
回転した結果、溝１６がボール１０の位置にないときには、外側リング２と内側リング４により形成された組立体を分解することはできない。しかし、外側リング２と内側リング４を動かして、外側リング２を押すことにより、装着者は、これら２個の溝１６をボール１０の位置に戻して、外側リング２と内側リング４を分解できることがある。
【００２０】
これらを分解／分離することを不可能にするために、外側リング２または内側リング４の一方に、少なくとも１本の棒２０を搭載し、この棒２０が他方のリングに形成された円周方向溝２２内を移動するようにする。図に示した実施例においては、これに限定される訳ではないが、内側リング４に２個のホール（孔）２４を形成し、円周方向溝２２を外側リング２の内側に形成している。これら２個のホール２４は、それぞれその中に棒２０を収納する。その中に棒２０が挿入されると、それらは半田付けされ、それが見えないように研磨される。
【００２１】
本発明の変形例によれば、棒は取り外し可能な方法例えばネジで固定される。その結果、リングは、宝石業者以外は誰も分解することできなくなる。宝石業者は、適宜のツールを用いて、棒のネジを緩めることができる。宝石業者は、リングを相対的に動かし、ボールを取り除き、ゴミ（ホコリ、砂粒等）が２個のリングの間に入り込んで回転運動を阻害することがないようにする。
【００２２】
棒２０は、棒２０がその中を移動する円周方向溝２２に対し、半径方向と軸方向に遊びを持ち、摩擦を回避している。
【００２３】
キャビティ２６が、円周方向溝１８の周囲に沿った少なくとも１箇所に配置される。この円周方向溝１８内に１個のボール１０が収納される。これらのキャビティ２６は、外側リング２と内側リング４の相対的位置を示すために用いられる。これは、開口６、６´を介して内側リング４上の装飾部８が見えるような、外側リング２の２ヶ所の所定位置で、位置決めすることにより行われる。この位置で、若干大きなトルクをかけ、ボール１０をキャビティ２６から取り除き、外側リング２と内側リング４とを相対的に回転させる。
【００２４】
本発明は、腕に装着するブレスレット、イヤリング、カフスボタン、キーリング、ペンダント、さらに一般的には外側リングと内側リングが相対的に回転可能で、且つ同軸に配置されるようなジュエリー・ピースにも適用可能である。
【００２５】
本発明は、本発明のリング１を分解する「工具」にも関する。最も単純な形態として、この分解工具は、円周肩部３０を具備するプレート２８を含む。この円周肩部３０に内側リング４が当たるよう、円周肩部３０の外形は内側リング４の外径に合っている。リング１がプレート２８上に配置されると、円筒形状のパンチ３２によりかぶされて、これが、円周ベース３４で外側リング２に当たる。打ち出しツール（図示せず）で、パンチ３２に力を加える。この力が外側リング２に伝わり、外側リング２が、ボール１０により動く範囲内で、プレート２８により保持されている内側リング４に対し、軸方向にシフトする。本発明の一変形例によれば、プレート２８とパンチ３２は、互いに、軸４０で回転可能にヒンジ止められたプライヤ（やっとこ）３８の２本のアーム３６に搭載される。リング１が棒を有さない場合あるいは取り外し可能な棒を有する場合には、この工具のみを用いるだけでよい。
【００２６】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００２７】
【図１Ａ】内側リングに形成された２個の異なる装飾具に向かい合って配置された外側リングの２個の開口のうちの第１の開口（Ω（オメガ）型）を示す本発明のリングの斜視図。
【図１Ｂ】内側リングに形成された２個の異なる装飾具に向かい合って配置された外側リングの２個の開口のうちの第２の開口（ハート型）を示す本発明のリングの斜視図。
【図２】本発明のリングの展開斜視図。
【図３】本発明のリングの半径方向断面図。
【図４】本発明のリングの内側リングの装飾部と外側リングの開口を通った半径方向断面図。
【図５】外側リングの斜視図。
【図６】図５の外側リングを１８０°回転させた外側リングの斜視図。
【図７】２個のリングを分解する装置であるプライヤ（やっとこ）の斜視図。
【符号の説明】
【００２８】
１    リング
２    外側リング
４    内側リング
６    開口
８    装飾部
１０  ボール
１１  装飾部
１２  ハウジング
１４  環状凹み
１６  溝
１８  円周方向溝
２０  棒
２２  円周方向溝
２４  ホール
２６  キャビティ
２８  プレート
３０  円周肩部
３２  パンチ
３４  円周ベース
３６  アーム
３８  プライヤ（やっとこ）
４０  軸
【図１Ａ】
0005188704.tif 000002
【図１Ｂ】
0005188704.tif 000003
【図２】
0005188704.tif 000004
【図３】
0005188704.tif 000005
【図４】
0005188704.tif 000006
【図５】
0005188704.tif 000007
【図６】
0005188704.tif 000008
【図７】
0005188704.tif 000009